(57)【要約】【課題】イオン導入装置のコンパクト化を図ると共に、イオン導入作業時の化粧液や薬液等の消費を減らし節約しつつ、美容（治療）作業を簡単に行えるようにする。【解決手段】化粧水や薬液等の水溶液（Ｗ）の入った容器（２７）に接合するアタッチメント（２４）と、アタッチメントに接合するイオン導入装置部分（１）及びコットンカバー（２１）とが、一体化して構成される。一体化させた状態ではイオン導入装置部分は容器のふたを兼ねるようにしており、コットン部分（１１）が乾燥するのを防ぐようにした。【選択図】  図１
2004351172.tif 000002
【特許請求の範囲】
【請求項１】
イオン導入装置部分（１）は第１電極（５）と第２電極（１０）とを備え、両電極は電気回路（４）と該電気回路に電流を流す電池（６）に接続されており、全体としてイオン導入器として構成しているとともに、アタッチメント（２４）を介して、前記イオン導入装置部分（１）の液塗布部に固定されたコットン又はスポンジ（１１）が密閉されるように水溶液（Ｗ）入りの容器（２７）と接合されるようにした、ことを特徴とするイオン導入器。
【請求項２】
イオン導入装置部分（１）は第１電極（５）と第２電極（１０）とを備え、両電極は電気回路（４）と該電気回路に電流を流す電池（６）に接続されており、全体としてイオン導入器として構成しているとともに、アタッチメント（２４）を介して、前記イオン導入装置部分（１）の接合部（３９）と水溶液（Ｗ）入りの容器（２７）とが接合され、水溶液が液導入路（４０）を通じて容器（２７）からコットンまたはスポンジ（１１）まで連続的に供給されるようにした、ことを特徴とするイオン導入器。
【発明の詳細な説明】
【０００１】
【発明の属する技術分野】
本発明は、化粧液や薬液等の水溶液中の有効成分をイオン化して外部から皮膚内に浸透させるためのイオン導入器に関する。
【０００２】
【従来の技術】
化粧液塗布による美容や薬液塗布による治療は、それらの化粧液又は薬液（以下、総称して水溶液という）を直接皮膚に塗布して行われるが、この際の皮膚への浸透性を高めるためにイオン導入法という手法が用いられている（参考文献  日本国特許２６６７３７９）。
【０００３】
イオン導入法とは、次のようなものである。人体の皮膚は表層から角質層〜真皮層と分かれ、角質層はｐＨ４．５〜６．０の弱酸性であることが多く、真皮層はｐＨ７．２前後の中性から弱アルカリ性である。このため、角質層と真皮層の間には電気的二重層ができており、これがいわゆるバリアゾーンとなって外部から皮膚内部への物質の導入を阻害している。従って、通常、皮膚に直接化粧液や薬液を塗布しただけでは、これらに含有される有効成分を真皮層まで導入するのは困難である。そこで、イオン導入法では、水溶液中の有効成分をこのバリアゾーンを越えて導入するために電気の力を利用する。例えば、プラスイオンを導入する場合、皮膚表面に接触する電極にプラスの電位を、人体側にマイナスの電位を持たせ数ミリアンペア程度以下の微弱電流を人体に通電することにより、プラスイオンは電気の作用で人体内部に引き寄せられ、バリアゾーンを通過しやすくなる。この際、人体の一部、例えば指先等がマイナス側の電極に触れている必要がある。また、化粧水や薬液等の水溶液も導電性があるため、皮膚表面に接触する電極は、直接皮膚に触れなくても、該水溶液で十分に湿らせたコットン（脱脂綿とも言う）またはスポンジを介した状態でもよい。尚、マイナスイオンを導入したい場合は上記と極性を逆にする。また、電流は連続した直流電流でもよいが、人体への負担を減らす目的から、直流パルス電流が良く利用される。
【０００４】
当初、イオン導入法は水溶液を直接皮膚に塗布したあと、イオン導入器の電極を皮膚に接触させて行っていた。この場合、イオン導入器と水溶液入りの容器は別体に構成されたものであったので、美容又は治療の作業に２つの器具が必要となり保管や持ち運びが不便であると共に、水溶液を皮膚に塗布してからイオン導入器の電極を当てるという２つのステップが必要となり、その作業が面倒であるという問題があった。
【０００５】
そのため、前記の日本国特許２６６７３７９では、イオン導入器と容器を一体化して、全体のコンパクト化を図ると共に、前記２つのステップの作業を１つにすることが行われた。
【０００６】
【発明が解決しようとする課題】
ところが、該特許２６６７３７９によれば、
（あ）水溶液入りの容器ごと持ち上げて水溶液を塗布するという作業が必要になり、水溶液や容器の重さにより塗布作業が非常に疲労を伴うものになる、
という問題があった。
【０００７】
更に、該特許２６６７３７９によれば、
（い）液塗布部に常に水溶液入りの容器が接触しているために、容器全体を逆さまにした状態で塗布作業を実施した場合、容器中の水溶液の残量により液塗布部にかかる水圧が変化するため水溶液の流出量の安定化が難しく、時に液が流出過多となり水溶液を浪費しやすい、
という問題があった。
【０００８】
本発明は、該特許２６６７３７９に示された該特許の効果を活かしながら、上記の問題点を解決した容器一体型のイオン導入器を提供することを目的とする。
【０００９】
【課題を解決するための手段】
本発明は、上記課題を解決するための手段として次の構成を有する。
【００１０】
請求項１の発明においては、イオン導入装置部分（１）は第１電極（５）と第２電極（１０）とを備え、両電極は電気回路（４）と該電気回路に電流を流す電池（６）に接続されており、全体としてイオン導入器として構成しているとともに、アタッチメント（２４）を介して、前記イオン導入装置部分（１）の液塗布部に固定されたコットン又はスポンジ（１１）が密閉されるように水溶液（Ｗ）入りの容器（２７）と接合されるようにした、ことを特徴とするイオン導入器である。
【００１１】
請求項２の発明においては、イオン導入装置部分（１）は第１電極（５）と第２電極（１０）とを備え、両電極は電気回路（４）と該電気回路に電流を流す電池（６）に接続されており、全体としてイオン導入器として構成しているとともに、アタッチメント（２４）を介して、前記イオン導入装置部分（１）の接合部（３９）と水溶液（Ｗ）入りの容器（２７）とが接合され、水溶液が液導入路（４０）を通じて容器（２７）からコットンまたはスポンジ（１１）まで連続的に供給されるようにした、ことを特徴とするイオン導入器である。
【発明の実施の形態】
【００１２】
まず、図１を用いて請求項１に係る発明の一実施形態を示す。イオン導入装置部分（１）は、手に持ったときに指又は手のひらが接触しやすい部位に第１電極（５）、液塗布部分に第２電極（１０）が設けられており、これらの電極はそれぞれ配線９Ａ，９Ｂによって電気回路（４）に接続されている。電気回路（４）は、配線７Ａ，７Ｂによって電池（６）に接続される。ここで、電池の節約のため、電源スイッチを配線７Ａまたは７Ｂに設けても良い。
【００１３】
電気回路（４）は、低周波（１０〜２０００Ｈｚ）程度の直流パルス発信回路及び電圧昇圧回路が含まれることが望ましいが、簡易に済ませる場合は配線７（Ａ，Ｂ）と９（Ａ，Ｂ）をそれぞれ直結して簡易型直流イオン導入器としてもよい。また、電池の残量を確認するためのインジケータランプ（２）（発光ダイオードなど）及びスイッチ（３）を設けると便利である。また、プラスイオン、マイナスイオンの両方に対応するために、極性切り替えスイッチを電気回路（４）に設けるとよい。一般に、プラスイオンを導入する場合には第２電極（１０）をプラスに、マイナスイオンを導入する場合には第２電極をマイナスに設定して利用する。
【００１４】
イオン導入装置部分（１）は接合部（８）を介して、コットンないしスポンジ（１１）を挟んだ状態でカバー（２１）の接合部（２２）と接合する（図２）。通常、イオン導入作業を行う場合は、この組み立てた状態でイオン導入装置部分を手に持って行う。
【００１５】
一方、カバー（２１）は接合部（２３）を介して、アタッチメント（２４）と接合する。更に、アタッチメント（２４）は接合部（２６）により容器（２７）の容器本体ネジ部（２８）とねじ込みにより接合する。容器（２７）はブロー成型された樹脂、ガラスまたは腐食防止加工された金属等で製作されたもので、水溶液（Ｗ）が入る。このアタッチメントは、容器の種類に応じ、容器にあった形状のアタッチメントを用意すると様々な容器に対応できる。アタッチメント（２４）の内部には弁（３０）があるが、容器転倒時の水溶液の流出を抑える他、アタッチメント（２４）をイオン導入装置部分（１）と切り離したときに、容器内の水溶液の蒸発を抑えるための弁である。図１ではプッシュ弁としているが、他の形状の弁（ボール弁等）でもよい。
【００１６】
また、接合部には液漏れ防止のためのオーリング（２９）を付ける。
【００１７】
図２は使用状態の構成を示した模式図である。イオン導入装置部分（１）が取り外せるので、この部分のみを手で持ってイオン導入作業を行う。
【００１８】
また、図３はコットンまたはスポンジ（１１）に水溶液を浸す作業をする際の使用状態を示した模式図である。組み立てて逆さまにすると、重力により容器（２７）中の水溶液（Ｗ）がコットンまたはスポンジ（１１）に滴下される。適量が滴下されたら、図２のようにイオン導入装置部分（１）だけを取り外してイオン導入作業を行う。
【００１９】
続いて、図４を用いて請求項２に係る発明の一実施形態を示す。尚、請求項１と２で大部分の説明は重複するので、以下は請求項１と２で異なる部分のみを記す。
【００２０】
イオン導入装置部分（１）の第２電極（１０）とアタッチメント接合部（３９）には液導入路（４０）があり、図６に示すように、容器（２７）中の水溶液（Ｗ）をコットンまたはスポンジ（１１）に浸す際は逆さまにして重力により水溶液を液導入路（４０）を通じて導入する。
【００２１】
液導入路（４０）は単純な貫通穴でもよいが、スポンジ等の吸水性の高い素材を充填すると、充填部分に一時的な液だまりができ、コットンまたはスポンジ（１１）への一時的な液供給源として活用することができる。また、流量調整用パッキン（４１）はシリコンゴム等に直径０．５ミリメートル程度の穴を適量空けたものである。空ける穴の径と数は、水溶液（Ｗ）の粘度に合わせて、適宜調節する。水溶液（Ｗ）が十分に高粘度の物質である場合は、流量調整用パッキン（４１）は無くても良い。
【００２２】
また、蓋兼用台座（４２）の接合部（４３）によりイオン導入装置部分（１）及びカバー（２１）が接合され、図５及び図６に示すように逆さまにして立てておくこともできる。この場合、水溶液（Ｗ）が重力により滴下されコットンまたはスポンジ（１１）を浸すので、十分に浸ったらイオン導入装置部分（１）のみを図４のように取り外してイオン導入作業を行う。
【００２３】
請求項１及び２共に第２電極（１０）は導電性物質（チタン合金、導電性ゴム、または導電性金属メッキなど）で製作した板状のものを想定しているが、これらは導電性物質であればローラー状のものや、球状のものでもよい。
【発明の効果】
【００２４】
本願発明のイオン導入器では、化粧液または薬液等の水溶液を貯留した容器と、イオン導入器本体が一体化されているため、コンパクトに収納でき取り扱いが容易になるといった先願特許（２６６７３７９）の効果を活かしたまま、該特許の欠点であった
（あ）水溶液入りの容器ごと持ち上げて水溶液を塗布するという作業が必要になり、水溶液や容器の重さにより塗布作業が非常に疲労を伴うものになる、
という問題、
並びに、
（い）液塗布部に常に水溶液入りの容器が接触しているために、容器全体を逆さまにした状態で塗布作業を実施した場合、容器中の水溶液の残量により液塗布部にかかる水圧が変化するため水溶液の流出量の安定化が難しく、時に液が流出過多となり水溶液を浪費しやすい、
という問題、の両方を解決することができる。
【図面の簡単な説明】
【図１】本願請求項１の発明による実施例を示す模式図である。
【図２】本願請求項１の発明による実施例の、イオン導入時の使用状態を示す模式図である。
【図３】本願請求項１の発明による実施例の、水溶液を浸す際の使用状態を示す模式図である。
【図４】本願請求項２の発明による実施例を示す模式図である。
【図５】本願請求項１の発明による実施例の、イオン導入時の使用状態を示す模式図である。
【図６】本願請求項１の発明による実施例の、水溶液を浸す際の使用状態を示す模式図である。
【符号の説明】
Ｗ    水溶液
１    イオン導入装置部分
２    電池インジケータランプ
３    電池チェックスイッチ
４    電気回路
５    第１電極
６    電池
７Ａ  配線
７Ｂ  配線
８    接合部
９Ａ  配線
９Ｂ  配線
１０  第２電極
１１  コットン又はスポンジ
２１  カバー
２２  接合部
２３  接合部
２４  アタッチメント
２５  接合部
２６  容器接合ネジ部
２７  容器
２８  容器本体ネジ部
２９  オーリング
３０  弁
３９  接合部
４０  液導入路
４１  流量調整用パッキン
４２  蓋兼用台座
４３  接合部
【図１】
2004351172.tif 000003
【図２】
2004351172.tif 000004
【図３】
2004351172.tif 000005
【図４】
2004351172.tif 000006
【図５】
2004351172.tif 000007
【図６】
2004351172.tif 000008